【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
双方向メディアガイダンスアプリケーションにおいて、ガイドリストおよびガイダンスデータを三次元で提示する方法であって、
ガイドリストを二次元構成で提示することと、
該二次元構成の該ガイドリストのうちの少なくとも１つのユーザ選択を受信することと、
該選択に関係のあるガイダンスデータを識別することと、
該ガイダンスデータの項目が該二次元構成に対して第三の次元にあるように見えるように、該ガイダンスデータを提示することと、
ユーザがガイダンスデータの項目をハイライトすることを可能にすることであって、その結果、該ガイダンスデータのハイライトされた項目に対応するメディアコンテンツに対してその後の動作が取られ得る、ことと
を包含する、方法。
【請求項２】
前記二次元構成は、ガイドリストを提示し、それによって、該ガイドリストに関係のある時刻は、該二次元構成と関連づけられた二つの次元の第一の次元で示され、該ガイドリストに関係のあるメディアソースは、該二次元構成と関連づけられた二つの次元の第二の次元で示されている、請求項１に記載の方法。
【請求項３】
前記ガイドリストのうちの前記少なくとも１つの前記ユーザ選択を受信することは、遠隔制御のボタン押し下げを検出することを包含し、複数のボタンのいずれが押し下げられたかに基づく該選択に関係するように、前記ガイダンスデータを選択することをさらに包含するか、または、該ガイドリストのうちの該少なくとも１つの該ユーザ選択を受信することは、遠隔制御の動きを検出することを包含し、複数の可能性のある動きのいずれが検出されたかに基づく選択に関係するように、該ガイダンスデータを選択することをさらに包含する、請求項１に記載の方法。
【請求項４】
前記選択に関係のある前記ガイダンスデータを識別することは、該選択が対応するメディアと同じメディアに対応するガイダンスデータを識別することを包含し、該ガイダンスデータは、該選択の提示時刻と異なる提示時刻を示している、請求項１に記載の方法。
【請求項５】
前記選択に関係のある前記ガイダンスデータを識別することは、該選択に対応して選択されたメディアと同じ俳優、同じキャスト、同じプロデューサ、同じディレクタ、同じ音楽アーティスト、同じスポンサー、同じ名前、同じメタデータターム、同じテーマ、および同じカテゴリのうちの少なくとも１つを有するか、または、該選択に対応するシリーズの一部である他のメディアに対応するガイダンスデータを識別することを包含する、請求項１に記載の方法。
【請求項６】
前記ガイダンスデータを並べ替えることをさらに包含する、請求項１に記載の方法。
【請求項７】
前記ガイダンスデータが前記二次元構成に対して前記第三の次元にあるように見えるように該ガイダンスデータを提示することは、三次元構造の外観を有するように、ガイダンスデータの該二次元構成と該第三の次元との組み合わせを提示すること
または、オブジェクトが視聴者に対して異なる深さで位置決めされているように、該ガイダンスデータが見えてくるようにガイダンスデータの該第三の次元を提示すること
を包含する、請求項１に記載の方法。
【請求項８】
双方向メディアガイダンスアプリケーションにおいて、ガイドリストおよびガイダンスデータを三次元で提示するデバイスであって、
ガイドリストを二次元構成で提示させる手段と、
該二次元構成の該ガイドリストのうちの少なくとも１つのユーザ選択を受信する手段と、
該選択に関係のあるガイダンスデータを識別する手段と、
該ガイダンスデータが該二次元構成に対して第三の次元にあるように見えるように、該ガイダンスデータを提示させる手段と
ユーザがガイダンスデータの項目をハイライトすることを可能にする手段であって、その結果、該ガイダンスデータのハイライトされた項目に対応するメディアコンテンツに対してその後の動作が取られ得る、手段と
を備えている、デバイス。
【請求項９】
前記二次元構成は、ガイドリストを提示し、それによって、該ガイドリストに関係のある時刻は、該二次元構成と関連づけられた二つの次元の第一の次元で示され、該ガイドリストに関係のあるメディアソースは、該二次元構成と関連づけられた二つの次元の第二の次元で示されている、請求項８に記載のデバイス。
【請求項１０】
前記ガイドリストのうちの前記少なくとも１つの前記ユーザ選択を受信する手段は、遠隔制御のボタン押し下げを検出し、複数のボタンのいずれが押し下げられたかに基づく該選択に関係するように、前記ガイダンスデータを選択すること、または、遠隔制御の動きを検出し、複数の可能性のある動きのいずれが検出されたかに基づく選択に関係するように、該ガイダンスデータを選択することを行うように配列される、請求項８に記載のデバイス。
【請求項１１】
前記選択に関係のある前記ガイダンスデータを識別する手段は、該選択が対応するメディアと同じメディアに対応するガイダンスデータを識別するように配列され、該ガイダンスデータは、該選択の提示時刻と異なる提示時刻を示している、請求項８に記載のデバイス。
【請求項１２】
前記選択に関係のある前記ガイダンスデータを識別する手段は、該選択に対応して選択されたメディアと同じ俳優、同じキャスト、同じプロデューサ、同じディレクタ、同じ音楽アーティスト、同じスポンサー、同じ名前、同じメタデータターム、同じテーマ、および同じカテゴリのうちの少なくとも１つを有するか、または、該選択に対応するシリーズの一部である他のメディアに対応するガイダンスデータを識別するように配列される、請求項８に記載のデバイス。
【請求項１３】
前記ガイダンスデータを並べ替える手段をさらに含む、請求項８に記載のデバイス。
【請求項１４】
前記ガイダンスデータが前記二次元構成に対して前記第三の次元にあるように見えるように、該ガイダンスデータを提示させる手段は、三次元構造の外観を有するように、ガイダンスデータの該二次元構成と該第三の次元との組み合わせを提示すること
または、オブジェクトが視聴者に対して異なる深さで位置決めされているように、該ガイダンスデータが見えてくるようにガイダンスデータの該第三の次元を提示すること
を行うように配列される、請求項８に記載のデバイス。
【請求項１５】
符号化された命令を含むコンピュータプログラム製品であって、該命令は、コンピュータ上で実行されると、請求項１〜７のいずれかに記載の方法を実装する、コンピュータプログラム製品。
【手続補正２】
【補正対象書類名】明細書
【補正対象項目名】０００７
【補正方法】変更
【補正の内容】
【０００７】
一部の実施形態においては、双方向メディアガイダンスアプリケーションにおいて、ガイドリストおよびガイダンスデータを三次元で提示するデバイスが提供され、該デバイスは、ガイドリストを二次元構成で提示させる手段と、該二次元構成の該ガイドリストのうちの少なくとも１つのユーザ選択を受信する手段と、該選択に関係のあるガイダンスデータを識別する手段と、該ガイダンスデータが該二次元構成に対して第三の次元にあるように見えるように該ガイダンスデータを提示させる手段とを備えている。
例えば、本発明は以下の項目を提供する。
（項目１）
双方向メディアガイダンスアプリケーションにおいて、ガイドリストおよびガイダンスデータを三次元で提示する方法であって、
ガイドリストを二次元構成で提示することと、
該二次元構成の該ガイドリストのうちの少なくとも１つのユーザ選択を受信することと、
該選択に関係のあるガイダンスデータを識別することと、
該ガイダンスデータが該二次元構成に対して第三の次元にあるように見えるように、該ガイダンスデータを提示することと
を包含する、方法。
（項目２）
上記双方向メディアガイダンスアプリケーションは、双方向番組ガイドである、項目１に記載の方法。
（項目３）
上記二次元構成は、ガイドリストを提示し、それによって、該ガイドリストに関係のある時刻は、該二次元構成と関連づけられた二次元の第一の次元で示されている、項目１に記載の方法。
（項目４）
上記二次元構成は、ガイドリストを提示し、それによって、該ガイドリストに関係のあるメディアソースは、該二次元構成と関連づけられた二次元の第二の次元で示されている、項目１に記載の方法。
（項目５）
上記ガイドリストのうちの上記少なくとも１つの上記ユーザ選択を受信することは、遠隔制御のボタン押し下げを検出することを包含し、複数のボタンのいずれが押し下げられたかに基づく該選択に関係するように、上記ガイダンスデータを選択することをさらに包含する、項目１に記載の方法。
（項目６）
上記ガイドリストのうちの上記少なくとも１つの上記ユーザ選択を受信することは、遠隔制御の動きを検出することを包含し、複数の可能性のある動きのいずれが検出されたかに基づく該選択に関係するように、上記ガイダンスデータを選択することをさらに包含する、項目１に記載の方法。
（項目７）
上記選択に関係のある上記ガイダンスデータを識別することは、該選択に対応するシリーズの一部分であるメディアに対応するガイダンスデータを識別することを包含する、項目１に記載の方法。
（項目８）
上記選択に関係のある上記ガイダンスデータを識別することは、該選択が対応するメディアと同じメディアに対応するガイダンスデータを識別することを包含する、項目１に記載の方法。
（項目９）
上記ガイダンスデータは、上記選択の提示時刻と異なる提示時刻を示している、項目８に記載の方法。
（項目１０）
上記選択に関係のある上記ガイダンスデータを識別することは、該選択に対応して選択されたメディアと同じ俳優、同じキャスト、同じプロデューサ、同じディレクタ、同じ音楽アーティスト、同じスポンサー、同じ名前、同じメタデータターム、同じテーマ、および同じカテゴリのうちの少なくとも１つを有する他のメディアに対応するガイダンスデータを識別することを包含する、項目１に記載の方法。
（項目１１）
上記ガイダンスデータを並べ替えることをさらに包含する、項目１に記載の方法。
（項目１２）
上記ガイダンスデータは、関連性によって並べ替えられる、項目１１に記載の方法。
（項目１３）
上記ガイダンスデータが上記二次元構成に対して上記第三の次元にあるように見えるように該ガイダンスデータを提示することは、三次元構造の外観を有するように、ガイダンスデータの該二次元構成と該第三の次元との組み合わせを提示することを包含する、項目１に記載の方法。
（項目１４）
上記ガイダンスデータが上記二次元構成に対して上記第三の次元にあるように見えるように該ガイダンスデータを提示することは、オブジェクトが視聴者に対して異なる深さで位置決めされているように、該ガイダンスデータが見えてくるようにガイダンスデータの該第三の次元を提示することを包含する、項目１に記載の方法。
（項目１５）
双方向メディアガイダンスアプリケーションにおいて、ガイドリストおよびガイダンスデータを三次元で提示するデバイスであって、
処理回路網であって、
ガイドリストを二次元構成で提示させ、
該二次元構成の該ガイドリストのうちの少なくとも１つのユーザ選択を受信し、
該選択に関係のあるガイダンスデータを識別し、
該ガイダンスデータが該二次元構成に対して第三の次元にあるように見えるように、該ガイダンスデータを提示させる、
処理回路網
を備えている、デバイス。
（項目１６）
上記双方向メディアガイダンスアプリケーションは、双方向番組ガイドである、項目１５に記載のデバイス。
（項目１７）
上記二次元構成は、ガイドリストを提示し、それによって、該ガイドリストに関係のある時刻は、該二次元構成と関連づけられた二次元の第一の次元で示されている、項目１５に記載のデバイス。
（項目１８）
上記二次元構成は、ガイドリストを提示し、それによって、該ガイドリストに関係のあるメディアソースは、該二次元構成と関連づけられた二次元の第二の次元で示されている、項目１５に記載のデバイス。
（項目１９）
上記処理回路網は、上記ガイドリストのうちの上記少なくとも１つの上記ユーザ選択を受信することにおいて、さらに、遠隔制御のボタン押し下げを検出し、かつ複数のボタンのいずれが押し下げられたかに基づく該選択に関係するように、上記ガイダンスデータを選択する、項目１５に記載のデバイス。
（項目２０）
上記処理回路網は、上記ガイドリストのうちの上記少なくとも１つの上記ユーザ選択を受信することにおいて、さらに、遠隔制御の動きを検出し、かつ複数の可能性のある動きのいずれが検出されたかに基づく該選択に関係するように、上記ガイダンスデータを選択する、項目１５に記載のデバイス。
（項目２１）
上記処理回路網は、上記選択に関係のある上記ガイダンスデータを識別することにおいて、さらに、該選択に対応するシリーズの一部であるメディアに対応するガイダンスデータを識別する、項目１５に記載のデバイス。
（項目２２）
上記処理回路網は、上記選択に関係のある上記ガイダンスデータを識別することにおいて、さらに、該選択が対応するメディアと同じメディアに対応するガイダンスデータを識別する、項目１５に記載のデバイス。
（項目２３）
上記ガイダンスデータは、上記選択の提示時刻と異なる提示時刻を示している、項目２２に記載のデバイス。
（項目２４）
上記処理回路網は、上記選択に関係のある上記ガイダンスデータを識別することにおいて、さらに、該選択に対応して選択されたメディアと同じ俳優、同じキャスト、同じプロデューサ、同じディレクタ、同じ音楽アーティスト、同じスポンサー、同じ名前、同じメタデータターム、同じテーマ、および同じカテゴリのうちの少なくとも１つを有する他のメディアに対応するガイダンスデータを識別する、項目１５に記載のデバイス。
（項目２５）
上記処理回路網はさらに、上記ガイダンスデータを並べ替える、項目１５に記載のデバイス。
（項目２６）
上記ガイダンスデータは、関連性によって並べ替えられる、項目２５に記載のデバイス。
（項目２７）
上記処理回路網は、上記ガイダンスデータが上記二次元構成に対して上記第三の次元にあるように見えるように該ガイダンスデータを提示させることにおいて、さらに、三次元構造の外観を有するように、ガイダンスデータの該二次元構成と該第三の次元との組み合わせを提示する、項目１５に記載のデバイス。
（項目２８）
上記処理回路網は、上記ガイダンスデータが上記二次元構成に対して上記第三の次元にあるように見えるように該ガイダンスデータを提示させることにおいて、さらに、オブジェクトが視聴者に対して異なる深さで位置決めされているように、該ガイダンスデータが見えてくるようにガイダンスデータの該第三の次元を提示する、項目１５に記載のデバイス。
（項目２９）
双方向メディアガイダンスアプリケーションにおいて、ガイドリストおよびガイダンスデータを三次元で提示するデバイスであって、
ガイドリストを二次元構成で提示させる手段と、
該二次元構成の該ガイドリストのうちの少なくとも１つのユーザ選択を受信する手段と、
該選択に関係のあるガイダンスデータを識別する手段と、
該ガイダンスデータが該二次元構成に対して第三の次元にあるように見えるように、該ガイダンスデータを提示させる手段と
を備えている、デバイス。
（項目３０）
上記双方向メディアガイダンスアプリケーションは、双方向番組ガイドである、項目２９に記載のデバイス。
（項目３１）
上記二次元構成は、ガイドリストを提示し、それによって、該ガイドリストに関係のある時刻は、該二次元構成と関連づけられた二次元の第一の次元で示されている、項目２９に記載のデバイス。
（項目３２）
上記二次元構成は、ガイドリストを提示し、それによって、該ガイドリストに関係のあるメディアソースは、該二次元構成と関連づけられた二次元の第二の次元で示されている、項目２９に記載のデバイス。
（項目３３）
上記ガイドリストのうちの上記少なくとも１つの上記ユーザ選択を受信する上記手段はさらに、遠隔制御のボタン押し下げを検出し、かつ複数のボタンのいずれが押し下げられたかに基づく該選択に関係するように、上記ガイダンスデータを選択する、項目２９に記載のデバイス。
（項目３４）
上記ガイドリストのうちの上記少なくとも１つの上記ユーザ選択を受信する上記手段はさらに、遠隔制御の動きを検出し、かつ複数の可能性のある動きのいずれが検出されたかに基づく該選択に関係するように、上記ガイダンスデータを選択する、項目２９に記載のデバイス。
（項目３５）
上記選択に関係のある上記ガイダンスデータを識別する上記手段はさらに、該選択に対応するシリーズの一部であるメディアに対応するガイダンスデータを識別する、項目２９に記載のデバイス。
（項目３６）
上記選択に関係のある上記ガイダンスデータを識別する上記手段はさらに、該選択が対応するメディアと同じメディアに対応するガイダンスデータを識別する、項目２９に記載のデバイス。
（項目３７）
上記ガイダンスデータは、上記選択の提示時刻と異なる提示時刻を示している、項目３６に記載のデバイス。
（項目３８）
上記選択に関係のある上記ガイダンスデータを識別する上記手段はさらに、該選択に対応して選択されたメディアと同じ俳優、同じキャスト、同じプロデューサ、同じディレクタ、同じ音楽アーティスト、同じスポンサー、同じ名前、同じメタデータターム、同じテーマ、および同じカテゴリのうちの少なくとも１つを有する他のメディアに対応するガイダンスデータを識別する、項目２９に記載のデバイス。
（項目３９）
上記ガイダンスデータを並べ替える手段をさらに備えている、項目２９に記載のデバイス。
（項目４０）
上記ガイダンスデータは、関連性によって並べ替えられる、項目３９に記載のデバイス。
（項目４１）
上記ガイダンスデータが上記二次元構成に対して上記第三の次元にあるように見えるように該ガイダンスデータを提示させる上記手段はさらに、三次元構造の外観を有するように、ガイダンスデータの該二次元構成と該第三の次元との組み合わせを提示する、項目２９に記載のデバイス。
（項目４２）
上記ガイダンスデータが上記二次元構成に対して上記第三の次元にあるように見えるように該ガイダンスデータを提示させる上記手段はさらに、オブジェクトが視聴者に対して異なる深さで位置決めされているように、該ガイダンスデータが見えてくるようにガイダンスデータの該第三の次元を提示する、項目２９に記載のデバイス。